(57)【要約】【課題】ユーザの快適性および跳躍力を向上させることができる、磁石クッションを有するソール構造体を提供すること。【解決手段】アウトソール３０２と、アウトソール３０２の上方に配置され、踵部位に凹部が設けられたミッドソール本体１０１と、ミッドソール本体１０１の凹部中に配置され、順次重ね合わせた第１の磁性体２０１、発泡ゴムスペーサ２０５および第２の磁性体２０３を有する磁石クッション構造体１０３と、ミッドソール本体１０１の上方に配置され、ミッドソール本体１０１との間に磁石クッション構造体１０３をサンドイッチ状に挟む発泡ゴム層１０７と、発泡ゴム層１０７の上方に配置され、足部と直接に接触するインソール３０３と、を備える。【選択図】図３
0003145299.tif 000002
【実用新案登録請求の範囲】
【請求項１】
アウトソールと、
前記アウトソールの上方に配置され、踵部位に凹部が設けられたミッドソール本体と、
前記ミッドソール本体の前記凹部中に配置され、順次重ね合わせた第１の磁性体、発泡ゴムスペーサおよび第２の磁性体を有する磁石クッション構造体と、
前記ミッドソール本体の上方に配置され、前記ミッドソール本体との間に前記磁石クッション構造体をサンドイッチ状に挟む発泡ゴム層と、
前記発泡ゴム層の上方に配置され、前記足部と直接に接触するインソールと、を備え、
前記第１の磁性体および前記第２の磁性体は、同じ極性が対向配置され、縦横比が１対４の矩形表面を有する矩形扁平状であることを特徴とする、
磁石クッションを有するソール構造体。
【請求項２】
前記第１の磁性体および前記第２の磁性体は、正極または負極が対向配置されていることを特徴とする、請求項１に記載の磁石クッションを有するソール構造体。
【請求項３】
前記矩形表面の面積は１００ｍｍ2〜２０００ｍｍ2であることを特徴とする、請求項１に記載の磁石クッションを有するソール構造体。
【請求項４】
前記矩形表面の面積は４００ｍｍ2であることを特徴とする、請求項３に記載の磁石クッションを有するソール構造体。
【請求項５】
前記第１の磁性体および前記第２の磁性体のそれぞれは、厚さが２ｍｍ〜４ｍｍの矩形扁平状であることを特徴とする、請求項１に記載の磁石クッションを有するソール構造体。
【考案の詳細な説明】
【技術分野】
【０００１】
本考案は、磁石クッションを有するソール構造体に関し、特に踵部位に磁気弾性構造の磁石クッションを有するソール構造体に関する。
【背景技術】
【０００２】
従来のソール構造は踵にパッドが配置されていて、踵がソールに圧力を加えると、僅かな弾性力を有するパッドに圧縮力に対抗する力が発生し、踵が発生させる瞬間的な下向き圧力に抵抗する緩衝効果を得ていた。
【０００３】
しかし、従来のソール構造には、一般の発泡ゴムの緩衝構造が利用されていたため、その緩衝効果は、発泡ゴムの材料が元々有する性質により制限されたものであり、有効に十分な緩衝力を提供することができなかった。
そのため、歩行や跳躍時の着地の快適性が低く、跳躍力を高めることは不可能であった。
【０００４】
従来技術には、他にソール構造をエアクッション式の緩衝構造にしたものもあった。
しかし、エアクッション式の構造は、しばらく使用するとエアクッション構造が破裂したり、構造が不安定となったり、さらには水が入って弾性力が失われたりして、振動吸収効果が低下してエアクッション構造が元々備えていた機能を喪失してしまうことがあった。
【考案の開示】
【考案が解決しようとする課題】
【０００５】
本考案は、上記の点に鑑みてなされたものであって、好適な緩衝力を有するソールにより、ユーザの快適性および跳躍力を向上させることができる、磁石クッションを有するソール構造体を提供することを目的とする。
【課題を解決するための手段】
【０００６】
上記課題を解決するために、本考案に係る磁石クッションを有するソール構造体は、アウトソールと、前記アウトソールの上方に配置され、踵部位に凹部が設けられたミッドソール本体と、前記ミッドソール本体の前記凹部中に配置され、順次重ね合わせた第１の磁性体、発泡ゴムスペーサおよび第２の磁性体を有する磁石クッション構造体と、前記ミッドソール本体の上方に配置され、前記ミッドソール本体との間に前記磁石クッション構造体をサンドイッチ状に挟む発泡ゴム層と、前記発泡ゴム層の上方に配置され、前記足部と直接に接触するインソールと、を備え、前記第１の磁性体および前記第２の磁性体は、同じ極性が対向配置され、縦横比が１対４の矩形表面を有する矩形扁平状であることを特徴とする。
【０００７】
さらに、本考案に係る磁石クッションを有するソール構造体は、前記第１の磁性体および前記第２の磁性体は、正極または負極が対向配置されていることを特徴とする。
【０００８】
さらに、本考案に係る磁石クッションを有するソール構造体は、前記矩形表面の面積は１００ｍｍ2〜２０００ｍｍ2であることを特徴とする。
【０００９】
さらに、本考案に係る磁石クッションを有するソール構造体は、前記矩形表面の面積は４００ｍｍ2であることを特徴とする。
【００１０】
さらに、本考案に係る磁石クッションを有するソール構造体は、前記第１の磁性体および前記第２の磁性体のそれぞれは、厚さが２ｍｍ〜４ｍｍの矩形扁平状であることを特徴とする。
【考案の効果】
【００１１】
本考案に係る磁石クッションを有するソール構造体は、好適な緩衝力を有するソールにより、ユーザの快適性および跳躍力を向上させることができる。
【考案を実施するための最良の形態】
【００１２】
本考案を実施するための形態を図１〜図３を用いて説明する。
【００１３】
図１を参照する。図１は、本実施の形態にかかる磁石クッションを有するソール構造体を示す分解斜視図である。
図１に示すように、磁石クッションを有するソール構造体は、ミッドソール本体１０１、磁石クッション構造体１０３および発泡ゴム層１０７を含む。
磁石クッション構造体１０３は、ミッドソール本体１０１の凹部１０５中に配置され、発泡ゴム層１０７で密封接着され、ミッドソール本体１０１中にサンドイッチ状に挟まれている。
【００１４】
続いて、図２を参照する。図２は、本実施の形態にかかる磁石クッション構造体を示す断面図である。
この磁石クッション構造体１０３は、第１の磁性体２０１、発泡ゴムスペーサ２０５および第２の磁性体２０３を順次重ね合わせた三層構造を含む。
第１の磁性体２０１および第２の磁性体２０３は、正極または負極が対向配置されている（即ち、正極同士または負極同士が対向配置されている）。第１の磁性体および第２の磁性体は、Ｎｄ−Ｆｅ−Ｂ磁石からなり、このＮｄ−Ｆｅ−Ｂ磁石は、磁力が強力で寿命が長い希土類永久磁石（Rare Earth Permanent Magnet）である。
本実施の形態にかかる第１の磁性体および第２の磁性体は、矩形扁平状である。この矩形扁平状の厚さ（即ち、高さ）は、約２ｍｍ〜４ｍｍである。この矩形扁平状の矩形表面は、縦横比が約１対４であり、面積が１００ｍｍ2〜２０００ｍｍ2であるが、面積が４００ｍｍ2のとき、磁石クッションを有するソール構造体の緩衝力が最も好適となる。
このように、磁性体が有する同一極性の排斥力を利用することにより、磁石クッション構造体１０３が圧力を受ける際に十分な緩衝力を発生させ、歩行や跳躍時の着地に必要な弾性力を提供する。
また、発泡ゴムスペーサ２０５は、突起状（図１では図示せず）であり、本実施形態ではその上端部が第１の磁性体２０１に接触されているが、他の実施形態としては上下逆さに配置し、発泡ゴムスペーサ２０５の上端部を第２の磁性体２０３と接触させてもよい。
突起状である発泡ゴムスペーサ２０５間には、空気を収納するための収納空間２０７が形成され、圧力を低減させる緩衝力を提供する。
互いに重ね合わせられた三層構造を利用し、磁石クッション構造体１０３は、発泡ゴム層１０７とミッドソール本体１０１とにより密封接着され、ミッドソール本体１０１中にサンドイッチ状に挟まれている。
【００１５】
続いて、図３を参照する。図３は、本実施の形態にかかる磁石クッションを有するソール構造体を示す断面図である。ソール構造体３０１は、様々な種類の靴の構造に適用することができる。
このソール構造体３０１は、アウトソール３０２、ミッドソール本体１０１、磁石クッション構造体１０３、発泡ゴム層１０７およびインソール３０３を含む。
本実施の形態にかかる磁石クッション構造体は、発泡ゴム構造またはエアクッション構造を単独で利用する従来技術と異なり、適当な緩衝力を有効かつ長期間、提供することができる。そのため、ユーザの足部に快適な弾性力を提供することができる上、跳躍力を向上させることもできる。
【００１６】
なお、本考案は、上記実施の形態に限定されるものではなく、請求項に示した範囲で種々の変更が可能である。すなわち、請求項に示した範囲で適宜変更した技術的手段を組み合わせて得られる実施の形態についても本考案の技術的範囲に含まれる。
【図面の簡単な説明】
【００１７】
【図１】本考案の実施形態を示すものであり、ミッドソール本体、磁石クッション構造体および発泡ゴム層を示す分解斜視図である。
【図２】本考案の実施形態を示すものであり、磁石クッション構造体を示す断面図である。
【図３】本考案の実施形態を示すものであり、磁石クッションを有するソール構造体を示す断面図である。
【符号の説明】
【００１８】
１０１  ミッドソール本体
１０３  磁石クッション構造体
１０５  凹部
１０７  発泡ゴム層
２０１  第１の磁性体
２０３  第２の磁性体
２０５  発泡ゴムスペーサ
２０７  収納空間
３０１  ソール構造体
３０２  アウトソール
３０３  インソール
【図１】
0003145299.tif 000003
【図２】
0003145299.tif 000004
【図３】
0003145299.tif 000005